(57)【特許請求の範囲】
【請求項１】
燃焼ガスを流動可能な排ガス通路と、
前記排ガス通路に設けられて排ガス中の熱を回収可能な熱回収部と、
前記排ガス通路における前記熱回収部より排ガスの流動方向の下流側に設けられて排ガス中の有害物質を除去可能な有害物質除去部と、
前記排ガス通路における前記熱回収部と前記有害物質除去部との間に設けられて排ガス中のポップコーンアッシュを捕集可能なポップコーンアッシュ捕集部と、
を備え、
前記ポップコーンアッシュ捕集部は、排ガスの流動方向に対して所定の傾斜角度に傾斜する複数の傾斜部を有し、
前記排ガス通路の中央部に配置される前記傾斜部の傾斜角度が前記排ガス通路の外周部に配置される前記傾斜部の傾斜角度より小さく設定され、
前記複数の傾斜部は、排ガスの流動方向に交差すると共に鉛直方向に沿った複数の傾斜捕集面を有し、排ガスの流動方向に対して傾斜方向が逆方向となる前記傾斜捕集面が交互に接続されて構成され、前記排ガス通路の鉛直方向における中間部に配置される前記傾斜捕集面の傾斜角度が前記排ガス通路の鉛直方向における端部に配置される前記傾斜捕集面の傾斜角度より小さく設定される、
ことを特徴とする排ガス処理装置。
【請求項２】
前記複数の傾斜部は、排ガスの流動方向に交差すると共に鉛直方向に沿った複数の傾斜捕集面を有し、排ガスの流動方向に対して傾斜方向が逆方向となる前記傾斜捕集面が交互に接続されて構成され、前記排ガス通路の幅方向における中間部に配置される前記傾斜捕集面の傾斜角度が前記排ガス通路の幅方向における端部に配置される前記傾斜捕集面の傾斜角度より小さく設定されることを特徴とする請求項１に記載の排ガス処理装置。
【請求項３】
前記排ガス通路の鉛直方向における中間部に配置される前記傾斜捕集面は、前記排ガス通路の鉛直方向における端部に配置される前記傾斜捕集面より、排ガスの流動方向における上流側に突出して配置されることを特徴とする請求項２に記載の排ガス処理装置。
【請求項４】
前記排ガス通路の鉛直方向における中間部に配置される前記傾斜捕集面と前記排ガス通路の鉛直方向における端部に配置される前記傾斜捕集面との間に連結捕集面が配置されることを特徴とする請求項２または３に記載の排ガス処理装置。
【請求項５】
前記連結捕集面は、排ガスの流動方向または排ガスの流動方向に交差する方向に傾斜することを特徴とする請求項４に記載の排ガス処理装置。
【請求項６】
前記複数の傾斜捕集面が排ガスの流動方向の下流側で接続される接続部は、略鉛直方向に沿って配置されることを特徴とする請求項２から５のいずれか一つに記載の排ガス処理装置。
【請求項７】
前記排ガス通路は、互いにほぼ直交する方向に連通して排ガスの流動方向に沿って連結される第１通路と第２通路とを有し、前記第１通路と前記第２通路との連通部の下方にポップコーンアッシュを貯留可能なホッパが設けられ、前記第１通路または該第１通路より上流側に前記熱回収部が設けられ、前記第２通路または該第２通路より下流側に前記有害物質除去部が設けられ、前記ポップコーンアッシュ捕集部は、前記第２通路に設けられることを特徴とする請求項１から６のいずれか一つに記載の排ガス処理装置。
【発明の詳細な説明】
【技術分野】
【０００１】
本発明は、発電用または工場用などのために蒸気を生成するためのボイラに適用される排ガス処理装置に関するものである。
【背景技術】
【０００２】
例えば、従来の微粉炭焚きボイラは、中空形状をなして鉛直方向に設置される火炉を有し、火炉壁に複数の燃焼バーナが周方向に沿って配設されると共に、上下方向に複数段にわたって配置されている。この燃焼バーナは、石炭が粉砕された微粉炭（燃料）と１次空気との混合気が供給されると共に、高温の２次空気が供給され、この混合気と２次空気を火炉内に吹き込むことで火炎を形成し、この火炉内で燃焼可能となっている。そして、この火炉は、上部に煙道が連結され、この煙道に排ガスの熱を回収するための過熱器、再熱器、節炭器などが設けられており、火炉での燃焼により発生した排ガスと水との間で熱交換が行われ、蒸気を生成することができる。また、この煙道は、排ガス通路が連結され、この排ガス通路に脱硝装置、電気集塵機、脱硫装置などが設けられ、下流端部に煙突が設けられている。
【０００３】
このような微粉炭焚きボイラでは、火炉で燃料としての微粉炭を燃焼することから、排ガスにポップコーンアッシュが混入する。このポップコーンアッシュは、灰の塊であることから、特に、排ガス通路に設けられる脱硝装置に付着し、圧力損失が上昇して性能低下を招いてしまう。そのため、従来から、排ガス通路に金網などを設けて排ガスからポップコーンアッシュを除去するようにしている。このような技術としては、例えば、下記特許文献１、２に記載されたものがある。
【先行技術文献】
【特許文献】
【０００４】
【特許文献１】特許第２７２４１７６号公報
【特許文献２】米国特許第６９９４０３６号明細書
【発明の概要】
【発明が解決しようとする課題】
【０００５】
上述したように、ボイラの火炉で発生した排ガスは、ポップコーンアッシュが混入しており、このポップコーンアッシュは、数ミリから十数ミリの灰の塊である。一方、排ガス通路に設けられた金網は、数ミリ以下のメッシュである。そのため、大塊のポップコーンアッシュが金網などに衝突することで、この金網の目が局所的に詰まったり、磨耗が生じたり、または、この金網が破損してしまうという問題がある。そして、特許文献２にあっては、捕集部材を傾斜させることで、ポップコーンアッシュ衝突力を吸収するようにしているものの、排ガス通路を流れる排ガスは、壁面部より中央部で高速となることから、この捕集部材における中央部の磨耗や破損が激しくなってしまう。
【０００６】
本発明は、上述した課題を解決するものであり、ポップコーンアッシュを適正に捕集可能とする排ガス処理装置を提供することを目的とする。
【課題を解決するための手段】
【０００７】
上記の目的を達成するための本発明の排ガス処理装置は、燃焼ガスを流動可能な排ガス通路と、前記排ガス通路に設けられて排ガス中の熱を回収可能な熱回収部と、前記排ガス通路における前記熱回収部より排ガスの流動方向の下流側に設けられて排ガス中の有害物質を除去可能な有害物質除去部と、前記排ガス通路における前記熱回収部と前記有害物質除去部との間に設けられて排ガス中のポップコーンアッシュを捕集可能なポップコーンアッシュ捕集部と、を備え、前記ポップコーンアッシュ捕集部は、排ガスの流動方向に対して所定の傾斜角度に傾斜する複数の傾斜部を有し、前記排ガス通路の中央部に配置される前記傾斜部の傾斜角度が前記排ガス通路の外周部に配置される前記傾斜部の傾斜角度より小さく設定される、ことを特徴とするものである。
【０００８】
従って、排ガス通路を流れる排ガスは、熱回収部で熱が回収された後、ポップコーンアッシュ捕集部によりポップコーンアッシュが捕集され、その後、有害物質除去部で有害物質が除去される。このとき、ポップコーンアッシュ捕集部が複数の傾斜部を有することから、ポップコーンアッシュの捕集面積が大きくなり、ポップコーンアッシュを効率的に捕集することができる。また、排ガス通路の中央部に配置される傾斜部の傾斜角度を排ガス通路の外周部に配置される傾斜部の傾斜角度より小さく設定することから、排ガス通路の中央部を流れる比較的流速の速いポップコーンアッシュは、その流れが偏向されて傾斜部に至るため、その流速及び圧力損失が低減されることとなり、ポップコーンアッシュによるポップコーンアッシュ捕集部の損傷が抑制され、ポップコーンアッシュを適正に捕集することができる。
【０００９】
本発明の排ガス処理装置では、前記複数の傾斜部は、排ガスの流動方向に交差すると共に鉛直方向に沿った複数の傾斜捕集面を有し、排ガスの流動方向に対して傾斜方向が逆方向となる前記傾斜捕集面が交互に接続されて構成され、前記排ガス通路の幅方向における中間部に配置される前記傾斜捕集面の傾斜角度が前記排ガス通路の幅方向における端部に配置される前記傾斜捕集面の傾斜角度より小さく設定されることを特徴としている。
【００１０】
従って、排ガス通路の幅方向における中間部に配置される傾斜捕集面の傾斜角度を端部に配置される傾斜捕集面の傾斜角度より小さく設定することから、排ガス通路の中央部を流れる比較的流速の速いポップコーンアッシュは、傾斜角度が小さい傾斜捕集面にて、その流速及び圧力損失が低減されることとなり、ポップコーンアッシュ捕集部の損傷を抑制することができる。
【００１１】
本発明の排ガス処理装置では、前記複数の傾斜部は、排ガスの流動方向に交差すると共に鉛直方向に沿った複数の傾斜捕集面を有し、排ガスの流動方向に対して傾斜方向が逆方向となる前記傾斜捕集面が交互に接続されて構成され、前記排ガス通路の鉛直方向における中間部に配置される前記傾斜捕集面の傾斜角度が前記排ガス通路の鉛直方向における端部に配置される前記傾斜捕集面の傾斜角度より小さく設定されることを特徴としている。
【００１２】
従って、排ガス通路の鉛直方向における中間部に配置される傾斜捕集面の傾斜角度を端部に配置される傾斜捕集面の傾斜角度より小さく設定することから、排ガス通路の中央部を流れる比較的流速の速いポップコーンアッシュは、傾斜角度が小さい傾斜捕集面にて、その流速及び圧力損失が低減されることとなり、ポップコーンアッシュ捕集部の損傷を抑制することができる。
【００１３】
本発明の排ガス処理装置では、前記排ガス通路の鉛直方向における中間部に配置される前記傾斜捕集面は、前記排ガス通路の鉛直方向における端部に配置される前記傾斜捕集面より、排ガスの流動方向における上流側に突出して配置されることを特徴としている。
【００１４】
従って、排ガス通路の鉛直方向における中間部に配置される傾斜捕集面が端部に配置される傾斜捕集面より上流側に突出していることから、排ガス通路の中央部を流れる比較的流速の速い排ガス中のポップコーンアッシュを効率的に捕集することができる。
【００１５】
本発明の排ガス処理装置では、前記排ガス通路の鉛直方向における中間部に配置される前記傾斜捕集面と前記排ガス通路の鉛直方向における端部に配置される前記傾斜捕集面との間に連結捕集面が配置されることを特徴としている。
【００１６】
従って、排ガス通路の鉛直方向における中間部に配置される傾斜捕集面と端部に配置される傾斜捕集面とを連結捕集面により連結することで、排ガス通路の全ての領域に傾斜捕集面を配置することができる。
【００１７】
本発明の排ガス処理装置では、前記連結捕集面は、排ガスの流動方向または排ガスの流動方向に交差する方向に傾斜することを特徴としている。
【００１８】
従って、連結捕集面が傾斜していることから、捕集したポップコーンアッシュが堆積しにくくなり、捕集効率の低下を抑制することができる。
【００１９】
本発明の排ガス処理装置では、前記複数の傾斜捕集面が排ガスの流動方向の下流側で接続される接続部は、略鉛直方向に沿って配置されることを特徴としている。
【００２０】
従って、傾斜捕集面同士の接続部が略鉛直方向に沿って配置されていることから、ここで捕集したポップコーンアッシュを容易に落下させることが可能となり、捕集効率の低下を抑制することができる。
【００２１】
本発明の排ガス処理装置では、前記排ガス通路は、互いにほぼ直交する方向に連通して排ガスの流動方向に沿って連結される第１通路と第２通路とを有し、前記第１通路と前記第２通路との連通部の下方にポップコーンアッシュを貯留可能なホッパが設けられ、前記第１通路または該第１通路より上流側に前記熱回収部が設けられ、前記第２通路または該第２通路より下流側に前記有害物質除去部が設けられ、前記ポップコーンアッシュ捕集部は、前記第２通路に設けられることを特徴としている。
【００２２】
従って、ポップコーンアッシュ捕集部を適正位置に配置することで、ポップコーンアッシュによるポップコーンアッシュ捕集部の損傷を抑制することができると共に、ポップコーンアッシュを適正に捕集することができる。
【発明の効果】
【００２３】
本発明の排ガス処理装置によれば、燃焼ガスを流動可能な排ガス通路にて、熱回収部と有害物質除去部との間に排ガス中のポップコーンアッシュを捕集可能なポップコーンアッシュ捕集部を設け、このポップコーンアッシュ捕集部として、排ガスの流動方向に対して所定の傾斜角度に傾斜する複数の傾斜部を設け、排ガス通路の中央部に配置される傾斜部の傾斜角度を排ガス通路の外周部に配置される傾斜部の傾斜角度より小さく設定するので、ポップコーンアッシュによるポップコーンアッシュ捕集部の損傷が抑制され、ポップコーンアッシュを適正に捕集することができる。
【図面の簡単な説明】
【００２４】
【図１】図１は、本発明の実施例１に係る排ガス処理装置が適用された微粉炭焚きボイラを表す概略構成図である。
【図２】図２は、実施例１の排ガス処理装置を表す概略側面図である。
【図３】図３は、実施例１の排ガス処理装置を表す概略平面図である。
【図４】図４は、実施例１のポップコーンアッシュ捕集部を表す概略図である。
【図５】図５は、本発明の実施例２に係る排ガス処理装置におけるポップコーンアッシュ捕集部の正面図である。
【図６】図６は、実施例２のポップコーンアッシュ捕集部の平面図である。
【図７】図７は、実施例２のポップコーンアッシュ捕集部の側面図である。
【図８】図８は、本発明の実施例３に係る排ガス処理装置におけるポップコーンアッシュ捕集部の正面図である。
【図９】図９は、実施例３のポップコーンアッシュ捕集部の側面図である。
【図１０】図１０は、本発明の実施例４に係る排ガス処理装置におけるポップコーンアッシュ捕集部の正面図である。
【図１１】図１１は、実施例４のポップコーンアッシュ捕集部の側面図である。
【図１２】図１２は、本発明の実施例５に係る排ガス処理装置におけるポップコーンアッシュ捕集部の正面図である。
【図１３】図１３は、実施例５のポップコーンアッシュ捕集部の側面図である。
【発明を実施するための形態】
【００２５】
以下に添付図面を参照して、本発明の排ガス処理装置の好適な実施例を詳細に説明する。なお、この実施例により本発明が限定されるものではなく、また、実施例が複数ある場合には、各実施例を組み合わせて構成するものも含むものである。
【実施例１】
【００２６】
図１は、本発明の実施例１に係る排ガス処理装置が適用された微粉炭焚きボイラを表す概略構成図、図２は、実施例１の排ガス処理装置を表す概略側面図、図３は、実施例１の排ガス処理装置を表す概略平面図、図４は、実施例１のポップコーンアッシュ捕集部を表す概略図である。
【００２７】
実施例１の排ガス処理装置が適用された微粉炭焚きボイラは、石炭を粉砕した微粉炭を固体燃料として用い、この微粉炭を燃焼バーナにより燃焼させ、この燃焼により発生した熱を回収することが可能なボイラである。
【００２８】
この実施例１において、図１に示すように、微粉炭焚きボイラ１０は、コンベンショナルボイラであって、火炉１１と燃焼装置１２とを有している。火炉１１は、四角筒の中空形状をなして鉛直方向に沿って設置され、この火炉１１を構成する火炉壁の下部に燃焼装置１２が設けられている。
【００２９】
燃焼装置１２は、火炉壁に装着された複数の燃焼バーナ２１，２２，２３，２４，２５を有している。本実施例にて、この燃焼バーナ２１，２２，２３，２４，２５は、周方向に沿って４個均等間隔で配設されたものが１セットとして、鉛直方向に沿って５セット、つまり、５段配置されている。
【００３０】
そして、各燃焼バーナ２１，２２，２３，２４，２５は、微粉炭供給管２６，２７，２８，２９，３０を介して微粉炭機（ミル）３１，３２，３３，３４，３５に連結されている。この微粉炭機３１，３２，３３，３４，３５は、図示しないが、ハウジング内に鉛直方向に沿った回転軸心をもって粉砕テーブルが駆動回転可能に支持され、この粉砕テーブルの上方に対向して複数の粉砕ローラが粉砕テーブルの回転に連動して回転可能に支持されて構成されている。従って、石炭が複数の粉砕ローラと粉砕テーブルとの間に投入されると、ここで所定の大きさまで粉砕され、搬送空気（１次空気）により分級された微粉炭を微粉炭供給管２６，２７，２８，２９，３０から燃焼バーナ２１，２２，２３，２４，２５に供給することができる。
【００３１】
また、火炉１１は、各燃焼バーナ２１，２２，２３，２４，２５の装着位置に風箱３６が設けられており、この風箱３６に空気ダクト３７の一端部が連結されており、この空気ダクト３７は、他端部に送風機３８が装着されている。従って、送風機３８により送られた燃焼用空気（２次空気、３次空気）を、空気ダクト３７から風箱３６に供給し、この風箱３６から各燃焼バーナ２１，２２，２３，２４，２５に供給することができる。
【００３２】
そのため、燃焼装置１２にて、各燃焼バーナ２１，２２，２３，２４，２５は、微粉炭と１次空気とを混合した微粉燃料混合気（燃料ガス）を火炉１１内に吹き込み可能であると共に、２次空気を火炉１１内に吹き込み可能となっており、図示しない点火トーチにより微粉燃料混合気に点火することで、火炎を形成することができる。
【００３３】
なお、一般的に、ボイラの起動時には、各燃焼バーナ２１，２２，２３，２４，２５は、油燃料を火炉１１内に噴射して火炎を形成している。
【００３４】
火炉１１は、上部に煙道４０が連結されており、この煙道４０に、対流伝熱部（熱回収部）として排ガスの熱を回収するための過熱器（スーパーヒータ）４１，４２、再熱器４３，４４、節炭器（エコノマイザ）４５，４６，４７が設けられており、火炉１１での燃焼で発生した排ガスと水との間で熱交換が行われる。
【００３５】
煙道４０は、その下流側に熱交換を行った排ガスが排出される排ガス管（排ガス通路）４８が連結されている。この排ガス管４８は、空気ダクト３７との間にエアヒータ４９が設けられ、空気ダクト３７を流れる空気と、排ガス管４８を流れる排ガスとの間で熱交換を行い、燃焼バーナ２１，２２，２３，２４，２５に供給する燃焼用空気を昇温することができる。
【００３６】
また、排ガス管４８にはエアヒータ４９より上流側の位置に選択還元型触媒５０が設けられ、エアヒータ４９より下流側の位置に電気集塵機５１、誘引送風機５２、脱硫装置５３が設けられ、下流端部に煙突５４が設けられている。ここで、選択還元型触媒５０、電気集塵機５１、脱硫装置５３が有害物質除去部として機能する。
【００３７】
従って、微粉炭機３１，３２，３３，３４，３５が駆動すると、生成された微粉炭が搬送用空気と共に微粉炭供給管２６，２７，２８，２９，３０を通して燃焼バーナ２１，２２，２３，２４，２５に供給される。また、加熱された燃焼用空気が空気ダクト３７から風箱３６を介して各燃焼バーナ２１，２２，２３，２４，２５に供給される。すると、燃焼バーナ２１，２２，２３，２４，２５は、微粉炭と搬送用空気とが混合した微粉燃料混合気を火炉１１に吹き込むと共に燃焼用空気を火炉１１に吹き込み、このときに着火することで火炎を形成することができる。この火炉１１では、微粉燃料混合気と燃焼用空気とが燃焼して火炎が生じ、この火炉１１内の下部で火炎が生じると、燃焼ガス（排ガス）がこの火炉１１内を上昇し、煙道４０に排出される。
【００３８】
なお、火炉１１では、空気の供給量が微粉炭の供給量に対して理論空気量未満となるように設定されることで、内部が還元雰囲気に保持される。そして、微粉炭の燃焼により発生したＮＯｘが火炉１１で還元され、その後、アディショナルエアが追加供給されることで微粉炭の酸化燃焼が完結され、微粉炭の燃焼によるＮＯｘの発生量が低減される。
【００３９】
このとき、図示しない給水ポンプから供給された水は、節炭器４５，４６，４７によって予熱された後、図示しない蒸気ドラムに供給され火炉壁の各水管（図示せず）に供給される間に加熱されて飽和蒸気となり、図示しない蒸気ドラムに送り込まれる。更に、図示しない蒸気ドラムの飽和蒸気は過熱器４１，４２に導入され、燃焼ガスによって過熱される。過熱器４１，４２で生成された過熱蒸気は、図示しない発電プラント（例えば、タービン等）に供給される。また、タービンでの膨張過程の中途で取り出した蒸気は、再熱器４３，４４に導入され、再度過熱されてタービンに戻される。なお、火炉１１をドラム型（蒸気ドラム）として説明したが、この構造に限定されるものではない。
【００４０】
その後、煙道４０の節炭器４５，４６，４７を通過した排ガスは、排ガス管４８にて、選択還元型触媒５０でＮＯｘなどの有害物質が除去され、電気集塵機５１で粒子状物質が除去され、脱硫装置５３により硫黄分が除去された後、煙突５４から大気中に排出される。
【００４１】
このように構成された微粉炭焚きボイラ１０にて、火炉１１より下流側が実施例１の排ガス処理装置として機能する。そして、この実施例１の排ガス処理装置では、排ガス管４８における熱回収部（過熱器４１，４２、再熱器４３，４４、節炭器４５，４６，４７）と有害物質除去部（選択還元型触媒５０、電気集塵機５１、脱硫装置５３）との間に排ガス中のポップコーンアッシュを捕集可能なポップコーンアッシュ捕集部６１が設けられており、ポップコーンアッシュ捕集部６１は、排ガスの流動方向に対して所定の傾斜角度に傾斜する複数の傾斜部を有し、排ガス管４８の中央部に配置される傾斜部の傾斜角度が排ガス管４８の外周部に配置される傾斜部の傾斜角度より小さく設定されている。
【００４２】
即ち、図２及び図３に示すように、排ガス管４８は、例えば、矩形断面を有し、鉛直方向に沿って延びる第１配管（第１通路）４８ａと、水平方向に沿って延びる第２配管（第２通路）４８ｂとから構成され、第１配管４８ａと第２配管４８ｂとは、互いにほぼ直交する方向に連通している。この場合、排ガスの流動方向の上流側に位置する第１配管４８ａ側に熱回収部が設けられ、排ガスの流動方向の下流側に位置する第２配管４８ｂ側に有害物質除去部が設けられ、第１配管４８ａの通路面積に比べて第２配管４８ｂの通路面積が小さく設定されている。そして、ポップコーンアッシュ捕集部６１は、第２配管４８ｂに設けられている。
【００４３】
また、第１配管４８ａと第２配管４８ｂとは、その後端部と前端部とが連通すると共に、この連通部の下方にポップコーンアッシュを貯留可能なホッパ６２が設けられている。このホッパ６２は、下方に向けて面積が狭くなるように対向する傾斜面により形成され、下端部が第２配管４８ｂの底面より低い位置にある。なお、このホッパ６２は、ポップコーンアッシュ捕集部６１により捕集されて落下したポップコーンアッシュを貯留するだけでなく、第１配管４８ａから第２配管４８ｂへと流れる排ガス中のポップコーンアッシュが直接ホッパ６２の傾斜面に衝突して貯留することができ、図示しない開閉弁により開口部を開放することで、貯留したポップコーンアッシュを下方に排出可能となっている。そして、ポップコーンアッシュ捕集部６１は、ホッパ６２より排ガスの流動方向の下流側に位置するように、第２配管４８ｂの入口部に傾斜して設けられている。
【００４４】
このポップコーンアッシュ捕集部６１は、上下端部が第２配管４８ｂの入口部における上下の壁面に固定されたブラケット６３，６４に固定されている。そして、このポップコーンアッシュ捕集部６１は、下端部が排ガスの流動方向の下流側に位置するように所定角度で傾斜して配置されている。このポップコーンアッシュ捕集部６１は、例えば、メッシュ状をなす金網により形成され、２ｍｍ〜３ｍｍ以下の多数の開口からなる。なお、ポップコーンアッシュ捕集部６１は、メッシュ状をなす金網に限定されるものではなく、縦スリットまたは横スリットを有するスクリーンや多孔体などとしてもよい。
【００４５】
また、第１配管４８ａと第２配管４８ｂとの連通部における曲がり角の内側に排ガスを曲がり角の外側に案内するキッカ（ガイド部）６５が設けられている。このキッカ６５は、第１配管４８ａと第２配管４８ｂとの連通部における曲がり角の内側にて、第１配管４８ａの下端部の内壁面から曲がり角の外側にある対向する内壁面側に突出するように設けられ、断面が先細の三角形状をなしている。
【００４６】
ここで、まず、ポップコーンアッシュ捕集部６１について、詳細に説明する。このポップコーンアッシュ捕集部６１は、図４に示すように、上述した複数の傾斜部として、排ガスの流動方向に交差すると共に鉛直方向に沿った複数（実施例１では、１２個）の傾斜捕集面６６（６６ａ，６６ｂ，６６ｃ，６６ｄ，６６ｅ，６６ｆ）を有している。そして、この各傾斜捕集面６６（６６ａ，６６ｂ，６６ｃ，６６ｄ，６６ｅ，６６ｆ）は、排ガスの流動方向に対して傾斜方向が逆方向となるように交互に接続されている。即ち、ポップコーンアッシュ捕集部６１は、排ガス管４８（第２配管４８ｂ）内にて、幅方向における中間位置（中心線Ａ）から左右の端部側に向かって、それぞれ６個の傾斜捕集面６６ａ，６６ｂ，６６ｃ，６６ｄ，６６ｅ，６６ｆがジグザグ形状となるように接続されて構成されている。実際には、１個のメッシュ状をなす金網を所定位置で折り曲げて構成する。傾斜捕集面６６ａ，６６ｂ，６６ｃ，６６ｄ，６６ｅ，６６ｆをジグザグ形状とすることで、排ガスの流れ方向に傾斜させ、ポップコーンアッシュ粒子の通過速度を低減し、圧損や摩耗低減を可能となる。
【００４７】
そして、ポップコーンアッシュ捕集部６１は、１２個の傾斜捕集面６６ａ，６６ｂ，６６ｃ，６６ｄ，６６ｅ，６６ｆが排ガス管４８（第２配管４８ｂ）の幅方向における中間位置（中心線Ａ）から左右の端部側に向かって傾斜角度θが大きくなるように設定されている。つまり、１２個の傾斜捕集面６６ａ，６６ｂ，６６ｃ，６６ｄ，６６ｅ，６６ｆにて、排ガスの流動方向に対する角度をθ１，θ２，θ３，θ４，θ５，θ６をすると、θ１＜θ２＜θ３＜θ４＜θ５＜θ６となっている。ここで、各傾斜捕集面６６ａ，６６ｂ，６６ｃ，６６ｄ，６６ｅ，６６ｆが排ガスの流動方向の下流側で接続される接続部６７（６７ａ，６７ｂ，６７ｃ，６７ｄ）は、排ガス管４８（第２配管４８ｂ）の幅方向において、排ガスの流動方向におけるほぼ同じ位置に配置されると共に、略鉛直方向に沿って配置されている。この場合、接続部６７（６７ａ，６７ｂ，６７ｃ，６７ｄ）は、ポップコーンアッシュ捕集部６１自体の傾斜方向に沿って位置している。そのため、ポップコーンアッシュ捕集部６１は、左右端部の流速が比較的低く、傾斜角度が大きくても摩耗は厳しくなく、また、中央部の傾斜角度を小さくするために左右端部の傾斜角度を大きくしている。
【００４８】
次に、実施例１の排ガス処理装置の作用を説明する。図１から図４に示すように、排ガス管４８を流れる排ガスは、熱回収部（過熱器４１，４２、再熱器４３，４４、節炭器４５，４６，４７）で熱が回収された後、第１配管４８ａに沿って下方に流れる。そして、排ガスは、連通部をほぼ直角に曲がってポップコーンアッシュ捕集部６１に流れる。
【００４９】
ここで、排ガスは、第１配管４８ａと第２配管４８ｂとの連通部における曲がり角の内側にて、キッカ６５により連通部の中心側に案内されることで、流れが剥離してその流速が低下する。そして、排ガスは、ポップコーンアッシュ捕集部６１によりポップコーンアッシュが捕集される。また、第１配管４８ａと第２配管４８ｂとの連通部における曲がり角の外側を流れる排ガスは、一部のポップコーンアッシュがホッパ６２の傾斜面に当接して落下する。
【００５０】
このとき、ポップコーンアッシュ捕集部６１は、１２個の傾斜捕集面６６ａ，６６ｂ，６６ｃ，６６ｄ，６６ｅ，６６ｆがジグザグ形状となるように接続されて構成されていることから、ポップコーンアッシュの捕集面積（開口面積）が大きくなり、ポップコーンアッシュが効率的に捕集される。また、１２個の傾斜捕集面６６ａ，６６ｂ，６６ｃ，６６ｄ，６６ｅ，６６ｆは、排ガス管４８の幅方向の中間部が端部に対してその傾斜角度が小さく設定されていることから、ポップコーンアッシュ捕集部６１は、排ガス管４８の幅方向の中間部が端部より開口面積が大きくなっている。そのため、排ガス管４８を流れる排ガスは、その中心部側で比較的流速が速くなるものの、この中心部側で開口面積が大きくなることから、排ガス（ポップコーンアッシュ）は、傾斜捕集面６６ａ，６６ｂ，６６ｃ，６６ｄ，６６ｅ，６６ｆによりその流れが偏向され、流速及び圧力損失が低減される。その結果、ポップコーンアッシュ捕集部６１に対するポップコーンアッシュの衝突力が緩和され、ポップコーンアッシュ捕集部６１の磨耗や損傷が抑制される。
【００５１】
そして、ポップコーンアッシュ捕集部６１で捕集されたポップコーンアッシュは、所定量が付着するものの、このポップコーンアッシュ捕集部６１が傾斜していると共に、各傾斜捕集面６６ａ，６６ｂ，６６ｃ，６６ｄ，６６ｅ，６６ｆの接続部６７ａ，６７ｂ，６７ｃ，６７ｄが略鉛直方向に沿っていることから、ホッパ６２に自由落下して貯留される。
【００５２】
その後、ポップコーンアッシュがポップコーンアッシュ捕集部６１で除去された排ガスは、有害物質除去部（選択還元型触媒５０、電気集塵機５１、脱硫装置５３）で有害物質が除去される。
【００５３】
このように実施例１の排ガス処理装置にあっては、燃焼ガスを流動可能な排ガス管４８と、排ガス管４８に設けられて排ガス中の熱を回収可能な熱回収部と、排ガス管４８における熱回収部より排ガスの流動方向の下流側に設けられて排ガス中の有害物質を除去可能な有害物質除去部と、排ガス管４８における熱回収部と有害物質除去部との間に設けられて排ガス中のポップコーンアッシュを捕集可能なポップコーンアッシュ捕集部６１とを設け、ポップコーンアッシュ捕集部６１として、排ガスの流動方向に対して所定の傾斜角度に傾斜する複数の傾斜捕集面６６（６６ａ，６６ｂ，６６ｃ，６６ｄ，６６ｅ，６６ｆ）を設け、排ガス管４８の幅方向の中央部側に配置される傾斜捕集面６６ａの傾斜角度θ１を端部側に配置される傾斜捕集面６６ｆの傾斜角度θ６より小さく設定している。
【００５４】
従って、排ガス管４８を流れる排ガスは、熱回収部で熱が回収された後、ポップコーンアッシュ捕集部６１によりポップコーンアッシュが捕集され、その後、有害物質除去部で有害物質が除去される。このとき、ポップコーンアッシュ捕集部６１が複数の傾斜捕集面６６を有することから、ポップコーンアッシュの捕集面積が大きくなり、ポップコーンアッシュを効率的に捕集することができる。また、排ガス管４８の中央部に配置される傾斜捕集面６６ａの傾斜角度θ１が端部に配置される傾斜捕集面６６ｆの傾斜角度θ６より小さく設定されていることから、排ガス管４８の中央部を流れる比較的流速の速いポップコーンアッシュは、その流れが偏向されて傾斜捕集面６６に至るため、その流速及び圧力損失が低減されることとなり、ポップコーンアッシュによるポップコーンアッシュ捕集部６１の損傷が抑制され、ポップコーンアッシュを適正に捕集することができる。
【００５５】
即ち、ポップコーンアッシュ捕集部６１は、排ガスの流速が速い中央部側で傾斜捕集面６６ａの傾斜角度θ１が小さく、排ガスの流速が遅い端部側で傾斜捕集面６６ｆの傾斜角度θ６で大きく設定されている。そのため、ポップコーンアッシュ捕集部６１の捕集面積を無駄に拡大することなく、必要な箇所だけを拡大しており、製造コストを抑制しながらも、排ガス中のポップコーンアッシュを効率良く捕集することができる。
【００５６】
また、実施例１の排ガス処理装置では、複数の傾斜捕集面６６が排ガスの流動方向の下流側で接続される接続部６７を略鉛直方向に沿って配置している。従って、傾斜捕集面６６で捕集したポップコーンアッシュを接続部６７により容易に落下させることが可能となり、捕集効率の低下を抑制することができる。
【００５７】
また、実施例１の排ガス処理装置では、排ガス管４８として、互いにほぼ直交する方向に連通する第１配管４８ａと第２配管４８ｂとを設け、排ガスの流動方向の上流側に位置する第１配管４８ａに熱回収部を設け、排ガスの流動方向の下流側に位置する第２配管４８ｂに有害物質除去部を設け、第１配管４８ａと第２配管４８ｂとの連通部の下方にポップコーンアッシュを貯留可能なホッパ６２を設け、ポップコーンアッシュ捕集部６１を第２配管４８ｂ側に設けている。従って、排ガスが第１配管４８ａから屈曲した第２配管４８ｂに流れるとき、この排ガスに含まれるポップコーンアッシュをポップコーンアッシュ捕集部６１により効率良く捕集することができる。また、ポップコーンアッシュ捕集部６１で捕集された全てのポップコーンアッシュがホッパ６２に貯留されることとなり、ポップコーンアッシュを効率良く捕集することができる。
【実施例２】
【００５８】
図５は、本発明の実施例２に係る排ガス処理装置におけるポップコーンアッシュ捕集部の正面図、図６は、実施例２のポップコーンアッシュ捕集部の平面図、図７は、実施例２のポップコーンアッシュ捕集部の側面図である。
【００５９】
実施例２において、排ガス処理装置の基本的な構成は、実施例１と同様であり、ポップコーンアッシュ捕集部の構成だけが相違している。図５から図７に示すように、ポップコーンアッシュ捕集部７１は、排ガスの流動方向に対して所定の傾斜角度に傾斜する複数の傾斜部を有し、排ガス管の中央部に配置される傾斜部の傾斜角度が外周部に配置される傾斜部の傾斜角度より小さく設定されている。
【００６０】
このポップコーンアッシュ捕集部７１は、上述した複数の傾斜部として、排ガスの流動方向に交差すると共に鉛直方向に沿った複数（実施例２では、６個）の傾斜捕集面７２（７２ａ，７２ｂ）を有している。この各傾斜捕集面７２（７２ａ，７２ｂ）は、排ガスの流動方向に対して傾斜方向が逆方向となるように交互に接続されている。即ち、ポップコーンアッシュ捕集部７１は、排ガス管内にて、幅方向に向かって６個の傾斜捕集面７２（７２ａ，７２ｂ）がジグザグ形状となるように接続されて構成されている。
【００６１】
そして、ポップコーンアッシュ捕集部７１は、６個の傾斜捕集面７２（７２ａ，７２ｂ）が排ガス管の鉛直方向における中間部が上下端部に対して傾斜角度θが小さくなるように設定されている。つまり、６個の傾斜捕集面７２（７２ａ，７２ｂ）は、それぞれ排ガス管の鉛直方向において、上部傾斜面７３ａと、中間傾斜面７３ｂと、下部傾斜面７３ｃとからなり、排ガスの流動方向に対する角度をθ１１，θ１２，θ１３をすると、θ１１＝θ１３＞θ１２となっている。
【００６２】
ここで、各傾斜捕集面７２（７２ａ，７２ｂ）が排ガスの流動方向の下流側で接続される接続部７４は、排ガス管の幅方向において、排ガスの流動方向におけるほぼ同じ位置に配置されると共に、略鉛直方向に沿って配置されている。また、各上部傾斜面７３ａ及び各下部傾斜面７３ｃが排ガスの流動方向の上流側で接続される接続部７５は、排ガス管の幅方向において、排ガスの流動方向におけるほぼ同じ位置に配置され、各中間傾斜面７３ｂが排ガスの流動方向の上流側で接続される接続部７６は、排ガス管の幅方向において、排ガスの流動方向におけるほぼ同じ位置に配置される。そして、各中間傾斜面７３ｂが排ガスの流動方向の上流側で接続される接続部７６は、各上部傾斜面７３ａ及び各下部傾斜面７３ｃが排ガスの流動方向の上流側で接続される接続部７５よりも、排ガスの流動方向の上流側に突出して位置している。
【００６３】
また、各傾斜捕集面７２（７２ａ，７２ｂ）にて、上部傾斜面７３ａ及び各下部傾斜面７３ｃと中間傾斜面７３ｂとは、傾斜した連結捕集面７７ａ，７７ｂにより連結されている。この場合、上部傾斜面７３ａと中間傾斜面７３ｂとを連結する連結捕集面７７ａは、排ガスの流動方向の上流側の下方に向かって傾斜し、中間傾斜面７３ｂと下部傾斜面７３ｃとを連結する連結捕集面７７ｂは、排ガスの流動方向の上流側の上方に向かって傾斜している。
【００６４】
なお、各傾斜捕集面７２（７２ａ，７２ｂ）にて、上部傾斜面７３ａ、中間傾斜面７３ｂ、下部傾斜面７３ｃをそれぞれ排ガス管の幅方向で同じ傾斜角度としたが、実施例１と同様に、幅方向の中間部で傾斜角度を小さく、幅方向の左右端部で傾斜角度を大きくしてもよい。
【００６５】
従って、排ガス管を流れる排ガスは、熱回収部で熱が回収された後、ポップコーンアッシュ捕集部７１に流れ、ここで、排ガスは、ポップコーンアッシュ捕集部７１によりポップコーンアッシュが捕集される。このとき、ポップコーンアッシュ捕集部７１は、６個の傾斜捕集面７２ａ，７２ｂがジグザグ形状となるように接続されて構成されていることから、ポップコーンアッシュの捕集面積（開口面積）が大きくなり、ポップコーンアッシュが効率的に捕集される。また、各傾斜捕集面７２ａ，７２ｂは、排ガス管の鉛直方向の中間位置の中間傾斜面７３ｂが上下位置の上部傾斜面７３ａ及び下部傾斜面７３ｃに対してその傾斜角度が小さく設定されていることから、ポップコーンアッシュ捕集部７１は、排ガス管の鉛直方向の中間部が端部より開口面積が大きくなっている。そのため、排ガス管を流れる排ガスは、その中心部側で比較的流速が速くなるものの、この中心部側で開口面積が大きくなることから、排ガス（ポップコーンアッシュ）は、傾斜捕集面７３ａ，７３ｂ，７３ｃによりその流れが偏向され、流速及び圧力損失が低減される。その結果、ポップコーンアッシュ捕集部７１に対するポップコーンアッシュの衝突力が緩和され、ポップコーンアッシュ捕集部７１の磨耗や損傷が抑制される。
【００６６】
そして、ポップコーンアッシュ捕集部７１で捕集されたポップコーンアッシュは、所定量が付着するものの、このポップコーンアッシュ捕集部７１の各傾斜捕集面７２ａ，７２ｂの接続部７４が略鉛直方向に沿っていることから、自由落下する。その後、ポップコーンアッシュがポップコーンアッシュ捕集部７１で除去された排ガスは、有害物質除去部で有害物質が除去される。
【００６７】
このように実施例２の排ガス処理装置にあっては、ポップコーンアッシュ捕集部７１として、排ガスの流動方向に対して所定の傾斜角度に傾斜する複数の傾斜捕集面７２（７２ａ，７２ｂ）を設け、排ガス管の鉛直方向の中央部に位置する中間傾斜面７３ｂの傾斜角度θ１２を上下部に位置する上部傾斜面７３ａ及び下部傾斜面７３ｃの傾斜角度θ１１，θ１３より小さく設定している。
【００６８】
従って、排ガス管を流れる排ガスは、熱回収部で熱が回収された後、ポップコーンアッシュ捕集部７１によりポップコーンアッシュが捕集され、その後、有害物質除去部で有害物質が除去される。このとき、排ガス管の中間傾斜面７３ｂの傾斜角度θ１２が上部傾斜面７３ａ及び下部傾斜面７３ｃの傾斜角度θ１１，θ１３より小さく設定されていることから、排ガス管の中央部を流れる比較的流速の速いポップコーンアッシュは、その流れが偏向されて中間傾斜面７３ｂに至るため、その流速及び圧力損失が低減されることとなり、ポップコーンアッシュによるポップコーンアッシュ捕集部７１の損傷が抑制され、ポップコーンアッシュを適正に捕集することができる。
【００６９】
即ち、ポップコーンアッシュ捕集部７１は、排ガスの流速が速い中央部側で中間傾斜面７３ｂの傾斜角度θ１１が小さく、排ガスの流速が遅い端部側で上部傾斜面７３ａ及び下部傾斜面７３ｃの傾斜角度θ１２，θ１３が大きく設定されている。そのため、ポップコーンアッシュ捕集部７１の捕集面積を無駄に拡大することなく、必要な箇所だけを拡大しており、製造コストを抑制しながらも、排ガス中のポップコーンアッシュを効率良く捕集することができる。
【００７０】
また、実施例２の排ガス処理装置では、排ガス管の鉛直方向の中央部に位置する中間傾斜面７３ｂを、排ガス管の鉛直方向の上下部に位置する上部傾斜面７３ａ及び下部傾斜面７３ｃより、排ガスの流動方向における上流側に突出して配置している。従って、排ガス管の中央部を流れる比較的流速の速い排ガス中のポップコーンアッシュを効率的に捕集することができる。また、ポップコーンアッシュ捕集部７１の中央部が流速高く、傾斜角度を小さくすることにより、圧損や摩耗を低減することができる。
【００７１】
実施例２の排ガス処理装置では、排ガス管の鉛直方向の中央部に位置する中間傾斜面７３ｂと、排ガス管の鉛直方向の上下部に位置する上部傾斜面７３ａ及び下部傾斜面７３ｃとの間に、排ガスの流動方向に傾斜する連結捕集面７７ａ，７７ｂを配置している。従って、排ガス管の全ての領域に傾斜捕集面を配置することができ、また、連結捕集面７７ａ，７７ｂが傾斜していることから、捕集したポップコーンアッシュが堆積しにくくなり、捕集効率の低下を抑制することができる。
【実施例３】
【００７２】
図８は、本発明の実施例３に係る排ガス処理装置におけるポップコーンアッシュ捕集部の正面図、図９は、実施例３のポップコーンアッシュ捕集部の側面図である。
【００７３】
実施例３において、排ガス処理装置の基本的な構成は、実施例１、２と同様であり、ポップコーンアッシュ捕集部の構成だけが相違している。図８及び図９に示すように、ポップコーンアッシュ捕集部８１は、排ガスの流動方向に対して所定の傾斜角度に傾斜する複数の傾斜部を有し、排ガス管の中央部に配置される傾斜部の傾斜角度が外周部に配置される傾斜部の傾斜角度より小さく設定されている。
【００７４】
このポップコーンアッシュ捕集部８１は、上述した複数の傾斜部として、排ガスの流動方向に交差すると共に鉛直方向に沿った複数の傾斜捕集面８２（８２ａ，８２ｂ）を有している。この各傾斜捕集面８２ａ，８２ｂは、排ガスの流動方向に対して傾斜方向が逆方向となるように接続されている。そして、ポップコーンアッシュ捕集部８１は、各傾斜捕集面８２ａ，８２ｂが、それぞれ排ガス管の鉛直方向において、上部傾斜面８３ａと、中間傾斜面８３ｂと、下部傾斜面（図示略）とからなり、中間傾斜面８３ｂの傾斜角度が上部傾斜面８３ａ及び下部傾斜面より傾斜角度より小さく設定されている。
【００７５】
ここで、各傾斜捕集面８２ａ，８２ｂが排ガスの流動方向の下流側で接続される接続部８４は、排ガス管の幅方向において、排ガスの流動方向におけるほぼ同じ位置に配置されると共に、略鉛直方向に沿って配置されている。また、上部傾斜面８３ａ及び下部傾斜面が排ガスの流動方向の上流側で接続される接続部８５は、排ガス管の幅方向において、排ガスの流動方向におけるほぼ同じ位置に配置され、中間傾斜面８３ｂが排ガスの流動方向の上流側で接続される接続部８６は、排ガス管の幅方向において、排ガスの流動方向におけるほぼ同じ位置に配置される。そして、中間傾斜面８３ｂが排ガスの流動方向の上流側で接続される接続部８６は、上部傾斜面８３ａ及び下部傾斜面８３ｃが排ガスの流動方向の上流側で接続される接続部８５よりも、排ガスの流動方向の上流側に突出して位置している。
【００７６】
また、各傾斜捕集面８２ａ，８２ｂにて、上部傾斜面８３ａと中間傾斜面８３ｂとは、傾斜した２つの連結捕集面８７ａ，８７ｂにより連結されている。この場合、上側に位置する連結捕集面８７ａは、排ガスの流動方向の上流側の上方に向かって傾斜し、下側の連結捕集面８７ｂは、排ガスの流動方向の上流側の下方に向かって傾斜している。また、各連結捕集面８７ａ，８７ｂは、ガスの流動方向に交差する方向に向かって傾斜している。即ち、上部傾斜面８３ａと中間傾斜面８３ｂとの間には、２つの連結捕集面８７ａ，８７ｂにより凹部が形成されることとなり、更なる捕集面の拡大がなされている。
【００７７】
従って、排ガス管を流れる排ガスは、ポップコーンアッシュ捕集部８１によりポップコーンアッシュが捕集される。このとき、ポップコーンアッシュ捕集部８１は、中間傾斜面８３ｂが上部傾斜面８３ａ及び下部傾斜面に対してその傾斜角度が小さく設定されていることから、排ガス管の中央部を流れる比較的流速が速い排ガスは、その流速及び圧力損失が低減される。その結果、ポップコーンアッシュ捕集部８１に対するポップコーンアッシュの衝突力が緩和され、ポップコーンアッシュ捕集部８１の磨耗や損傷が抑制される。
【００７８】
このように実施例３の排ガス処理装置にあっては、ポップコーンアッシュ捕集部８１として、排ガスの流動方向に対して所定の傾斜角度に傾斜する複数の傾斜捕集面８２（８２ａ，８２ｂ）を設け、排ガス管の鉛直方向の中央部に位置する中間傾斜面８３ｂの傾斜角度を上下部に位置する上部傾斜面８３ａ及び下部傾斜面の傾斜角度より小さく設定している。
【００７９】
従って、排ガス管の中央部を流れる比較的流速の速いポップコーンアッシュは、その流れが偏向されて中間傾斜面８３ｂに至るため、その流速及び圧力損失が低減されることとなり、ポップコーンアッシュによるポップコーンアッシュ捕集部８１の損傷が抑制され、ポップコーンアッシュを適正に捕集することができる。
【００８０】
実施例３の排ガス処理装置では、排ガス管の鉛直方向の中央部に位置する中間傾斜面８３ｂと、排ガス管の鉛直方向の上下部に位置する上部傾斜面８３ａ及び下部傾斜面との間に、排ガスの流動方向及びその方向に交差する方向に傾斜する連結捕集面８７ａ，８７ｂを配置している。従って、排ガス管の全ての領域に傾斜捕集面を配置することができ、また、連結捕集面８７ａ，８７ｂが傾斜していることから、捕集したポップコーンアッシュが堆積しにくくなり、捕集効率の低下を抑制することができる。
【実施例４】
【００８１】
図１０は、本発明の実施例４に係る排ガス処理装置におけるポップコーンアッシュ捕集部の正面図、図１１は、実施例４のポップコーンアッシュ捕集部の側面図である。
【００８２】
実施例４において、排ガス処理装置の基本的な構成は、実施例１、２と同様であり、ポップコーンアッシュ捕集部の構成だけが相違している。図１０及び図１１に示すように、ポップコーンアッシュ捕集部９１は、排ガスの流動方向に対して所定の傾斜角度に傾斜する複数の傾斜部を有し、排ガス管の中央部に配置される傾斜部の傾斜角度が外周部に配置される傾斜部の傾斜角度より小さく設定されている。
【００８３】
このポップコーンアッシュ捕集部９１は、上述した複数の傾斜部として、排ガスの流動方向に交差すると共に鉛直方向に沿った複数の傾斜捕集面９２（９２ａ，９２ｂ）を有しており、各傾斜捕集面９２ａ，９２ｂが上部傾斜面９３ａと中間傾斜面９３ｂと下部傾斜面（図示略）とからなり、中間傾斜面９３ｂの傾斜角度が上部傾斜面９３ａ及び下部傾斜面より傾斜角度より小さく設定されている。
【００８４】
各傾斜捕集面９２ａ，９２ｂが排ガスの流動方向の下流側で接続される接続部９４は、排ガス管の幅方向において、排ガスの流動方向におけるほぼ同じ位置に配置されると共に、略鉛直方向に沿って配置されている。また、上部傾斜面９３ａ及び下部傾斜面が排ガスの流動方向の上流側で接続される接続部９５は、排ガス管の幅方向において、排ガスの流動方向におけるほぼ同じ位置に配置され、中間傾斜面９３ｂが排ガスの流動方向の上流側で接続される接続部９６は、排ガス管の幅方向において、排ガスの流動方向におけるほぼ同じ位置に配置され、接続部９６は接続部９５よりも排ガスの流動方向の上流側に突出して位置している。
【００８５】
また、各傾斜捕集面９２ａ，９２ｂにて、上部傾斜面９３ａと中間傾斜面９３ｂとは、傾斜した２つの連結捕集面９７ａ，９７ｂにより連結されている。この場合、上側に位置する連結捕集面９７ａは、中心部が凹部形状をなし、排ガスの流動方向の上流側の上方に向かって傾斜し、下側の連結捕集面９７ｂは、中心部が凸部形状をなし、排ガスの流動方向の上流側の下方に向かって傾斜している。即ち、上部傾斜面９３ａと中間傾斜面９３ｂとの間には、２つの連結捕集面９７ａ，９７ｂにより凹部が形成されることとなり、更なる捕集面の拡大がなされている。
【００８６】
なお、本実施例のポップコーンアッシュ捕集部９１による作用効果については、前述した実施例３とほぼ同様であることから、説明は省略する。
【実施例５】
【００８７】
図１２は、本発明の実施例５に係る排ガス処理装置におけるポップコーンアッシュ捕集部の正面図、図１３は、実施例５のポップコーンアッシュ捕集部の側面図である。
【００８８】
実施例５において、排ガス処理装置の基本的な構成は、実施例１、２と同様であり、ポップコーンアッシュ捕集部の構成だけが相違している。図１２及び図１３に示すように、ポップコーンアッシュ捕集部１０１は、排ガスの流動方向に対して所定の傾斜角度に傾斜する複数の傾斜部を有し、排ガス管の中央部に配置される傾斜部の傾斜角度が外周部に配置される傾斜部の傾斜角度より小さく設定されている。
【００８９】
このポップコーンアッシュ捕集部１０１は、上述した複数の傾斜部として、排ガスの流動方向に交差すると共に鉛直方向に沿った複数の傾斜捕集面１０２（１０２ａ，１０２ｂ）を有しており、各傾斜捕集面１０２ａ，１０２ｂが上部傾斜面１０３ａと中間傾斜面１０３ｂと下部傾斜面（図示略）とからなり、中間傾斜面１０３ｂの傾斜角度が上部傾斜面１０３ａ及び下部傾斜面より傾斜角度より小さく設定されている。
【００９０】
各傾斜捕集面１０２ａ，１０２ｂが排ガスの流動方向の下流側で接続される接続部１０４は、排ガス管の幅方向において、排ガスの流動方向におけるほぼ同じ位置に配置されると共に、略鉛直方向に沿って配置されている。また、上部傾斜面１０３ａ及び下部傾斜面が排ガスの流動方向の上流側で接続される接続部１０５は、排ガス管の幅方向において、排ガスの流動方向におけるほぼ同じ位置に配置され、中間傾斜面１０３ｂが排ガスの流動方向の上流側で接続される接続部１０６は、排ガス管の幅方向において、排ガスの流動方向におけるほぼ同じ位置に配置され、接続部１０６は接続部１０５よりも排ガスの流動方向の上流側に突出して位置している。
【００９１】
また、各傾斜捕集面１０２ａ，１０２ｂにて、上部傾斜面１０３ａと中間傾斜面１０３ｂとは、傾斜した２つの連結捕集面１０７ａ，１０７ｂにより連結されている。本実施例では、傾斜捕集面１０２ａ，１０２ｂにて、上部傾斜面１０３ａはその傾斜角度が同じに設定されているが、中間傾斜面１０３ｂは、傾斜捕集面１０２ａ側の角度が傾斜捕集面１０２ｂ側の角度より小さい角度に設定されている。この場合、上側に位置する連結捕集面１０７ａは、中心部が凹部形状をなし、排ガスの流動方向の上流側の上方に向かって傾斜し、下側の連結捕集面１０７ｂは、中心部が凸部形状をなし、排ガスの流動方向の上流側の下方に向かって傾斜している。そして、下側の連結捕集面１０７ｂは、傾斜捕集面１０２ａ側に傾斜している。即ち、上部傾斜面１０３ａと中間傾斜面１０３ｂとの間には、２つの連結捕集面１０７ａ，１０７ｂにより凹部が形成されることとなり、更なる捕集面の拡大がなされている。
【００９２】
なお、本実施例のポップコーンアッシュ捕集部１０１による作用効果については、前述した実施例３とほぼ同様であることから、説明は省略する。
【００９３】
なお、上述した各実施例では、排ガス管４８を、鉛直方向に沿って延びる第１配管４８ａと水平方向に沿って延びる第２配管４８ｂとを連通し、ここにホッパ６２を形成して構成し、第２配管４８ｂの入口部にポップコーンアッシュ捕集部６１，７１，８１，９１，１０１を設けたが、この構成に限定されるものではない。例えば、排ガス管４８を、鉛直方向に沿って延びる第１配管（第１通路）と、水平方向に沿って延びる第２配管（第１通路）と、鉛直方向に沿って延びる第３配管（第２通路）とを連通し、各連通部にホッパを形成して構成し、第３配管の入口部にポップコーンアッシュ捕集部を設けてもよい。
【符号の説明】
【００９４】
１０  微粉炭焚きボイラ
１１  火炉
２１，２２，２３，２４，２５  燃焼バーナ
４０  煙道
４１，４２  過熱器（熱回収部）
４３，４４  再熱器（熱回収部）
４５，４６，４７  節炭器（熱回収部）
４８  排ガス管（排ガス通路）
５０  選択還元型触媒（有害物質除去部）
５１  電気集塵機（有害物質除去部）
５３  脱硫装置（有害物質除去部）
６１，７１，８１，９１，１０１  ポップコーンアッシュ捕集部
６２  ホッパ
６５  キッカ（ガイド部）
６６，６６ａ，６６ｂ，６６ｃ，６６ｄ，６６ｅ，６６ｆ，７２，７２ａ，７２ｂ，８２，８２ａ，８２ｂ，９２，９２ａ，９２ｂ，１０２，１０２ａ，１０２ｂ  傾斜捕集面（傾斜部）
６７ａ，６７ｂ，６７ｃ，６７ｄ，７４，７５，７６，８４，８５，８６，９４，９５，９６，１０４，１０５，１０６  接続部
７３ａ，８３ａ，９３ａ，１０３ａ  上部傾斜面
７３ｂ，８３ｂ，９３ｂ，１０３ｂ  中間傾斜面
７３ｃ  下部傾斜面
７７ａ，７７ｂ，８７ａ，８７ｂ，９７ａ，９７ｂ，１０７ａ，１０７ｂ  連結捕集面
【図１】
0005762325.tif 000002
【図２】
0005762325.tif 000003
【図３】
0005762325.tif 000004
【図４】
0005762325.tif 000005
【図５】
0005762325.tif 000006
【図６】
0005762325.tif 000007
【図７】
0005762325.tif 000008
【図８】
0005762325.tif 000009
【図９】
0005762325.tif 000010
【図１０】
0005762325.tif 000011
【図１１】
0005762325.tif 000012
【図１２】
0005762325.tif 000013
【図１３】
0005762325.tif 000014